(57)【要約】【課題】  ズボンのずり落ちを確実に防止することができるインナーベルトを提供する。【解決手段】  ズボンの内側に配置され腰部に着脱可能なインナーベルト１であって、腰部に締め付け可能な帯状体２と、前記帯状体２の外側に帯状体２を腰部に締め付けた状態で少なくとも左右の腰骨の上部にそれぞれ配されるように帯状体２の長手方向に沿って所定間隔で取り付けられた、ズボン用ベルトの取付位置を規制する複数の規制部材３とを備えており、前記帯状体２が、一端部に雌連結部材４ａと、他端部に雄連結部材４ｂを備えており、前記各規制部材３が、前記帯状体２を腰部に締め付けた状態で上方に向く当該各規制部材３の上端部の帯状体側と反対側の部分に、前記帯状体２の上端部よりも上方に張り出す張り出し部６ａを備える。【選択図】        図１
2006176939.tif 000002
【特許請求の範囲】
【請求項１】
ズボンの内側に配置され腰部に着脱可能なインナーベルトであって、
腰部に締め付け可能な帯状体と、
前記帯状体の外側に帯状体を腰部に締め付けた状態で少なくとも左右の腰骨の上部にそれぞれ配されるように帯状体の長手方向に沿って所定間隔で取り付けられた、ズボン用ベルトの取付位置を規制する複数の規制部材とを備えており、
前記帯状体が、一端部に雌連結部材と、他端部に雄連結部材を備えており、
前記各規制部材が、前記帯状体を腰部に締め付けた状態で上方に向く当該各規制部材の上端部の帯状体側と反対側の部分に、前記帯状体の上端部よりも上方に張り出す張り出し部を備える、インナーベルト。
【請求項２】
前記帯状体の雌雄連結部材は、両方またはいずれか一方に帯状体の腰部に締め付ける部分の長さを調整する調整部を備える、請求項１記載のインナーベルト。
【発明の詳細な説明】
【技術分野】
【０００１】
本発明は、ズボンのずり落ちを防止するためのインナーベルトに関する。
【背景技術】
【０００２】
従来のズボン用ベルトは帯状をなしており、ズボンを介して使用者の腰部に締め付けるように構成されている。これによりズボンのずり落ちを防止している。しかしながら一般的にこの種のベルトはズボンを介して使用者の腰部に締め付けているため、時間がたつとズボンがずり落ちる。これはズボンと下着との摩擦力が小さいことに起因する。
【０００３】
これに対処するためベルトを腰部にきつく締め付けることも考えられるが、腹部を圧迫することになるので好ましくない。そこで特許文献１では、腹部を圧迫しないズボンずり落ちストッパが提案されている。
【０００４】
このストッパは、横腹のカーブを設けたたばこのライター程度の大きさからなる合成プラスティックからなり、ズボンとベルトとの間に嵌め込まれ、左右に突出する腰骨の上部に掛止可能に形成されている。
【０００５】
しかしながらこのストッパはベルトに掛止されるだけであるので、激しい運動をする場合など脱落することがある。またこのストッパはズボンの外側に取り付けられるので、ズボンおよび下着の厚さによってはズボンの腰骨に対応する部分の突出量が少なくなり、腰骨の上部にしっかりと引っ掛からず、従来のベルトと同様、時間がたつとズボンがずり落ちることが予想される。さらにこのストッパはベルトを外側に膨出するので見かけも悪いし、またストッパをズボンとベルトとの間の狭い空間に装着しなければならないので煩わしい。
【特許文献１】特開２００１−１２３３１２号公報  （第１図〜第４図）
【発明の開示】
【発明が解決しようとする課題】
【０００６】
本発明は、上述した事情を鑑みてなされたものであり、ズボンのずり落ちを確実に防止することができるインナーベルトを提供することを目的とする。
【課題を解決するための手段】
【０００７】
本発明に係るインナーベルトは、ズボンの内側に配置され腰部に着脱可能なインナーベルトであって、腰部に締め付け可能な帯状体と、前記帯状体の外側に帯状体を腰部に締め付けた状態で少なくとも左右の腰骨の上部にそれぞれ配されるように帯状体の長手方向に沿って所定間隔で取り付けられた、ズボン用ベルトの取付位置を規制する複数の規制部材とを備えており、前記帯状体が、一端部に雌連結部材と、他端部に雄連結部材を備えており、前記各規制部材が、前記帯状体を腰部に締め付けた状態で上方に向く当該各規制部材の上端部の帯状体側と反対側の部分に、前記帯状体の上端部よりも上方に張り出す張り出し部を備える。
【０００８】
この構成によれば、インナーベルトがズボンの内側に配置され腰骨の上部に締め付けられるので、インナーベルトが腰骨に引っ掛かり腰部からずり落ちることを防止することが可能となる。またインナーベルトが腰部に締め付けられたときに前記規制部材と腰部との間に凹部が形成されるので、ズボン用ベルトを腰部に締め付けたときに、この凹部に、ズボン用ベルトの当該凹部に対向する部分をその近傍のズボンとともに収容することが可能となる。その結果ズボン用ベルトの取付位置が規制され、ズボン用ベルトがずり落ちることを防止することが可能となる。これにより、ズボンのずり落ちが防止され、ズボンの折り目がゆがむことなどを防止することが可能となる。
【０００９】
またこのインナーベルトは腰部に締め付ける構造を有するので、激しい運動をしても脱落しない。これによりズボンのずり落ちを確実に防止することができる。
【００１０】
さらにインナーベルトは腰骨の上部に位置され、かつズボン用ベルトが上記凹部に収容される（つまり、インナーベルトの外面にズボン用ベルトを重ねて配置しない）ので、インナーベルトによるズボンのふくらみは低減される。その結果ズボンの腰部のゆがみを防止することが可能となる。
【００１１】
前記帯状体の雌雄連結部材は、両方またはいずれか一方に帯状体の腰部に締め付ける部分の長さを調整する調整部を備えることが望ましい。この構成によれば、使用者の体型に応じてインナーベルトを腰部にぴったりと締め付けることが可能となる。これにより、インナーベルトがずり落ちることを防止することが可能となる。従ってこのインナーベルトによって位置決めされるズボン用ベルトもずり落ちることを防止することが可能となる。その結果、上記同様、ズボンのずり落ちが防止され、ズボンの折り目がゆがむことなどを防止することが可能となる。
【発明の効果】
【００１２】
本発明に係るインナーベルトによれば、ズボンのずり落ちを確実に防止することができる。これによりズボンの折り目がゆがむことなどを防止することができる。
【発明を実施するための最良の形態】
【００１３】
以下、添付図面を参照して本発明の実施の形態について説明する。
【００１４】
図１は、本発明の実施の形態に係るインナーベルトの構成を模式的に示す斜視図である。なお、ここでは、説明の都合上、使用者の身長方向を上下方向といい、使用者の左右方向をそれぞれ左右方向という。
【００１５】
図１に示すように、インナーベルト１は、腰部に締め付ける帯状体２、この帯状体２に取り付けられた、ズボン用ベルトの取付位置を規制する規制部材３と、帯状体２の長手方向の両端部を連結する連結部材４とを備える。
【００１６】
帯状体２は、公知の合成樹脂や合成繊維、綿、皮などを用いて帯状に形成されている。帯状体２は、シート状材料から切り出して形成されてもよいし、また糸状材料を編み込んで形成されてもよい。また帯状体２は、上述したような材料を組み合わせて形成されてもよい。
【００１７】
この帯状体２は人の腰部に締め付けるのに十分な長さに形成される。その長さは、例えば人の所定のウエストサイズに余裕長さを加えて設定される。帯状体２は後で詳述する規制部材３を取り付けるのに十分な幅（例えば、２．５ｃｍ）に形成される。ただ帯状体２の幅が狭すぎたり、また広すぎる場合、使用者に不快感（腹部への食い込み、腹部への圧迫など）を与えるので、帯状体２は使用者に不快感を与えないように適当な幅に設定される。帯状体２は腰部に締め付けた状態で腰部から大きく突出しないように比較的薄く（例えば、１ｍｍ）形成されている。
【００１８】
規制部材３は、２つ設けられており、いずれも矩形状をなしている。各規制部材３は、帯状体２の長手方向に所定距離を離隔して帯状体２の外面に沿うように配置され、帯状体２の外面に縫合または接着などによって取り付けられる。さらにこの各規制部材３の取付位置は、帯状体２を腰部に巻き付けたときに左右の腰骨の上部にくるように予め設定される。なお、ここでは、規制部材３を２つ設けているが、２つを超える数の規制部材を設けても構わない。例えば規制部材を３つ設ける場合、帯状体２を腰部に巻き付けたときに左右の腰部および臀部の上部などに設けることもできる。
【００１９】
この規制部材２の構造について更に詳しく図２を用いて説明する。図２は、帯状体に取り付けた状態における規制部材の構造の一例を示しており、（ａ）は図１のII−II線断面
図であり、（ｂ）は外面図であり、（ｃ）は上面図である。
【００２０】
図２（ａ）に示すように、規制部材３は、帯状体２の外面に取り付けられる長板状の第一の板状体５と、この第一の板状体５の外面に取り付けられる長板状の第二の板状体６を備える。
【００２１】
図２（ａ）に示すように、第一の板状体５は前記帯状体２の幅とほぼ同じ幅に形成されている。第一の板状体５は、帯状体２の幅と略同じ幅に形成されており、その上下端部５ａ、５ｂが前記帯状体２の上下端部２ａ、２ｂと略同じ高さ位置にくるように配置されている。もちろんこれに限定するものではない。
【００２２】
図２（ａ）、（ｂ）、（ｃ）に示すように、第二の板状体６は、前記第一の板状体５の上下端部５ａ、５ｂよりも上下方向に張る出す上下張り出し部６ａ、６ｂがそれぞれ形成されている。これにより、インナーベルト１を腰部７に締め付けたときに、第一の板状体５の上端部５ａ、第二の板状体６の上張り出し部６ａ、帯状体２の上端部２ａ、人の腰部７の間に第一の凹部８ａが形成される。図２（ａ）に示すように、インナーベルト１を腰部７に締め付けたときに、第一の凹部８ａにズボン用ベルト９がその近傍のズボン１０とともに収容されるようになっている。同様に第一の板状体５の下端部５ｂ、第二の板状体６の下張り出し部６ｂ、帯状体２の下端部２ｂ、人の腰部７の間にも第二の凹部８ｂが形成される。この第二の凹部８ｂは、インナーベルト１の上下を逆にして腰部７に締め付ける場合に、上述した第一の凹部８ａと同様の作用をなしうる。なお、これらの構造は一例であってこれに限定するものではない。例えば、第二の板状体６の上張り出し部６ａのみ設けても構わない。これにより軽量化することが可能となる。
【００２３】
図２（ａ）、（ｃ）に示すように、第一の板状体５と第二の板状体６とは、帯状体２の長手方向と同じ方向に略同一の長さに形成されている。もちろん第二の板状体６が、軽量化のため第一の板状体５より短く形成されても構わない。ここでは第二の板状体６が１つ設けられているが、複数個設けて、これらを第一の板状体５の外面に帯状体２の長手方向と同じ方向に沿って所定間隔で配置してもよい。これにより軽量化することが可能となる。
【００２４】
図２（ａ）に示すように、第一の板状体５は、帯状体２より厚く形成されている。具体的には、第一の凹部８ａにズボン用ベルト９がその近傍のズボン１０とともに収容されうる厚さ、例えば３ｍｍ程度に形成される。第二の板状体６は、上下張り出し部６ａ、６ｂが腰部７側に倒れないような厚さに設定される。ここでは第二の板状体６は第一の板状体５と略同一の厚さを有する。ただこれに限定するものではない。第二の板状体６の材質によっては第一の板状体５より薄くすることも可能である。
【００２５】
前記第一の板状体５および第二の板状体６は、厚み方向に大きく縮むことなく、かつ帯状体２とともに変形することが可能な材料によって形成される。さらに第二の板状体６は、上記第一の凹部８ａおよび／または第二の凹部８ｂを形成することが可能なように適度な剛性を有することが望ましい。つまり、第二の板状体６の上下張り出し部６ａ、６ｂが腰部７側に倒れない程度の剛性を有することが望ましい。具体的には第一の板状体５は、例えば帯状体２と同様の材質（合成樹脂など）によって形成することができる。もちろん異種材質であっても構わない。第二の板状体６は、例えば第一の板状体５よりも硬質のプラスチック（例えば、塩化ビニール、アクリル、ポリカーボネイト、ポリプロピレン）などによって形成することができる。その他、第二の板状体５として、前記硬質のプラスティックとこれより柔軟な材料とを組み合わせた複合材を用いてもよい。
【００２６】
なお、ここでは、第一の板状体５および第二の板状体６が別体で形成されているが、一体に形成されても構わない。これにより製作が簡単になりうる。
【００２７】
図１に示すように、連結部材４として例えばリュックサックなどに用いる公知のバックルを用いることができる。この連結部材４は、雌連結部材４ａと、当該雌連結部４ａに着脱可能な雄連結部材４ｂとから構成される。雌連結部材４ａは帯状体２の一端部に取り付けられ、雄連結部材４ｂが帯状体２の他端部に取り付けられる。
【００２８】
雄連結部材４ｂは雌連結部材４ａに向かう３つ爪を有しており、この３つ爪が雌連結部材４ｂに挿入され連結されるようになっている。また雄連結部材４ｂの帯状体２側には、帯状体２の腰部７に締め付ける部分の長さを調整するため、雄連結部材４ｂの帯状体２への長手方向取付位置を調整する調整部４ｃが設けられている。この調整部４ｃには、帯状体２の他端部を通す長孔が２つ設けられている。この２つの長孔に帯状体２の他端部を通して折り返すことによって、前記雄連結部材４ｂの帯状体２への長手方向取付位置が調整される。つまり帯状体２の他端部の折り返し量を調整することによって、インナーベルト１の腰部７に締め付ける長さを調整することが可能となる。もちろんこの調整は、インナーベルト１を腰部７に装着した状態で適宜行うことが可能である。これにより、使用者の体型に応じてインナーベルト１を腰部７にぴったりと締め付けることが可能となる。その結果、インナーベルト１がずり落ちることを防止することが可能となる。
【００２９】
上記連結部材４に代えて、図３に示すような公知のマジックテープ（登録商標）１１を用いても良い。その場合、帯状体２の一端部の外面に雌マジックテープ（登録商標）１１ａが取り付けられ、帯状体２の他端部の内面に雄マジックテープ（登録商標）１１ｂが取り付けられる。これにより、上記と同様に、使用者の体型に応じてインナーベルト１を腰部７にぴったりと締め付けることが可能となる。その結果、インナーベルト１がずり落ちることを防止することが可能となる。
【００３０】
続いて、上記のように構成されるインナーベルト１の装着手順を説明する。図４は、インナーベルトの装着状態を示す外観図であり、（ａ）はズボンを穿く前の状態を示し、（ｂ）はズボンを穿いた後の状態を示している。
【００３１】
図４（ａ）に示すように、インナーベルト１を各規制部材３が左右の腰骨の上部に位置するようにワイシャツなど上着の上から締め付けて、雄雌連結部材４ａ、４ｂを連結する。これによりインナーベルト１の位置決めがなされる。
【００３２】
図４（ｂ）に示すように、その後ズボン用ベルト８がインナーベルト１の各規制部材３の上にくるようにズボン１０を引き上げて、ズボン用ベルト９を締め付ける。するとズボン用ベルト９の下端部は、その近傍のズボン１０とともに上述した第一の凹部８ａに自然に収容される。もちろん使用者がズボン用ベルト９を下向きに押して第一の凹部８ａ内に収容させても構わない。
【００３３】
以上により、ズボン用バンド９の位置決めがなされるので、ズボン１０がずり落ちることを防止することができる。これによりズボンの折り目１０ａがゆがむことを防止して直線状を保つことなどが可能となる。
【００３４】
なお、上述した実施形態は一例であり、本発明の要旨を損なわない範囲での種々の変更は可能であり、本発明は上述した実施形態に限定されるものではない。
【図面の簡単な説明】
【００３５】
【図１】本発明の実施形態に係るインナーベルトの構成を模式的に示す斜視図である。
【図２】帯状体に取り付けた状態における規制部材の構造の一例を示しており、（ａ）は図１のII−II線断面図であり、（ｂ）は外面図であり、（ｃ）は上面図である。
【図３】本発明の別の実施形態に係るインナーベルトの構成を模式的に示す斜視図である。
【図４】インナーベルトの装着状態を示す外観図であり、（ａ）はズボンを穿く前の状態を示し、（ｂ）はズボンを穿いた後の状態を示している。
【符号の説明】
【００３６】
１…インナーベルト
２…帯状体
３…規制部材
４…連結部材
５…第一の板状体
６…第二の板状体
６ａ…上張り出し部
６ｂ…下張り出し部
７…腰部
８ａ…第一の凹部
８ｂ…第二の凹部
８…第一の情報群
９…ズボン用バンド
１０…ズボン
１１…マジックテープ（登録商標）
【図１】
2006176939.tif 000003
【図２】
2006176939.tif 000004
【図３】
2006176939.tif 000005
【図４】
2006176939.tif 000006